(57)【要約】【課題】浸水防止性能を維持することが可能になる、浸水防止構造を提供すること。【解決手段】浸水防止構造は、建物の壁の開口部の周縁に設けられた枠体１０と、開口部を開閉する開閉体２０との相互間の隙間から水が浸入することを防止するための浸水防止構造であって、枠体１０に設けられた止水手段であって、全閉状態において開閉体２０と当接可能な止水手段を備え、止水手段は、枠体１０側に設けられたベース部４１と、ベース部４１よりも開閉体２０側に設けられた当接部４２であって、開閉体２０と当接可能な位置に設けられた当接部４２と、当接部４２の部分のうちベース部側部分４２ａに設けられた当接部側フィン部４５であって、全閉状態において枠体１０と当接可能な当接部側フィン部４５と、を備えた。【選択図】図４
2020084609.tif 000002
【特許請求の範囲】
【請求項１】
建物の壁の開口部の周縁に設けられた枠体と、前記開口部を開閉する開閉体との相互間の隙間から水が浸入することを防止するための浸水防止構造であって、
前記枠体に設けられた止水手段であって、前記開閉体によって前記開口部を全閉した全閉状態において前記開閉体と当接可能な止水手段を備え、
前記止水手段は、
前記枠体側に設けられたベース部と、
前記ベース部よりも前記開閉体側に設けられた当接部であって、前記開閉体と当接可能な位置に設けられた当接部と、
前記当接部の部分のうち前記ベース部側の部分に設けられた当接部側フィン部であって、前記全閉状態において前記枠体と当接可能な当接部側フィン部と、を備えた、
浸水防止構造。
【請求項２】
前記当接部を、前記全閉状態において前記開閉体の見付面と当接可能な位置に配置し、
前記当接部側フィン部を、前記全閉状態において前記枠体の見込面と当接可能となるように前記当接部における前記枠体に近接する部分から見付方向に略沿って外側に張り出した、
請求項１に記載の浸水防止構造。
【請求項３】
前記止水手段は、
前記ベース部の部分に設けられたベース部側フィン部であって、前記全閉状態において前記枠体の見込面と当接可能となるように見付方向の外側に張り出されたベース部側フィン部を、さらに備え、
前記当接部側フィン部を、前記ベース部側フィン部よりも外側に張り出した、
請求項２に記載の浸水防止構造。
【請求項４】
前記当接部側フィン部の厚さを、前記当接部に近づくにつれて厚くした、
請求項１から３のいずれか一項に記載の浸水防止構造。
【請求項５】
前記当接部を中空状に形成し、
前記ベース部の一部である中実状の台座部を、前記当接部の内部に収容し、
前記当接部側フィン部と前記台座部の先端部とが見付方向に略沿った同一直線上に位置するように、前記当接部側フィン部及び前記台座部を構成した、
請求項１から４のいずれか一項に記載の浸水防止構造。
【発明の詳細な説明】
【技術分野】
【０００１】
本発明は、浸水防止構造に関する。
【背景技術】
【０００２】
従来、玄関等に設けられるドア装置を対象として、ドア装置を構成する扉体によって建物の開口部を全閉している状態において開口部の周縁に設けられたドア枠と扉体との隙間から水が浸入することを防止する技術が提案されている。このような技術においては、ドア枠に形成された四周状の溝部に水密部材が設けられており、この水密部材は、ドア枠の溝部に装着される基部と、基部よりも扉体側に設けられた膨出部と、膨出部の先端近傍に設けられたフィンであって、上記全閉している状態でドア枠と当接可能なフィンと備える技術が開示されている（例えば、特許文献１参照）。
【先行技術文献】
【特許文献】
【０００３】
【特許文献１】特開２０１６−２０５０７９号公報
【発明の概要】
【発明が解決しようとする課題】
【０００４】
ここで、上記従来の技術においては、上記全閉している状態において扉体に水圧がかかることに伴って水密部材が扉体に押圧されると、当該押圧に伴って膨出部の先端側の端部が扉体側に向けて反り返るような変形（以下、「反り変形」と称する）が生じやすくなる。しかしながら、上述したように、水密部材のフィンが膨出部の先端近傍に設けられているので、例えば、上記反り変形の変形量が過大になると、フィンがドア枠から離れることでフィンとドア枠との当接状態を維持することが難しくなる可能性があることから、浸水防止性能を維持する観点からは改善の余地があった。
【０００５】
本発明は、上記従来技術における課題を解決するためのものであって、浸水防止性能を維持することが可能になる、浸水防止構造を提供することを目的とする。
【課題を解決するための手段】
【０００６】
上述した課題を解決し、目的を達成するために、請求項１に記載の浸水防止構造は、建物の壁の開口部の周縁に設けられた枠体と、前記開口部を開閉する開閉体との相互間の隙間から水が浸入することを防止するための浸水防止構造であって、前記枠体に設けられた止水手段であって、前記開閉体によって前記開口部を全閉した全閉状態において前記開閉体と当接可能な止水手段を備え、前記止水手段は、前記枠体側に設けられたベース部と、前記ベース部よりも前記開閉体側に設けられた当接部であって、前記開閉体と当接可能な位置に設けられた当接部と、前記当接部の部分のうち前記ベース部側の部分に設けられた当接部側フィン部であって、前記全閉状態において前記枠体と当接可能な当接部側フィン部と、を備えた。
【０００７】
請求項２に記載の浸水防止構造は、請求項１に記載の浸水防止構造において、前記当接部を、前記全閉状態において前記開閉体の見付面と当接可能な位置に配置し、前記当接部側フィン部を、前記全閉状態において前記枠体の見込面と当接可能となるように前記当接部における前記枠体に近接する部分から見付方向に略沿って外側に張り出した。
【０００８】
請求項３に記載の浸水防止構造は、請求項２に記載の浸水防止構造において、前記止水手段は、前記ベース部の部分に設けられたベース部側フィン部であって、前記全閉状態において前記枠体の見込面と当接可能となるように見付方向の外側に張り出されたベース部側フィン部を、さらに備え、前記当接部側フィン部を、前記ベース部側フィン部よりも外側に張り出した。
【０００９】
請求項４に記載の浸水防止構造は、請求項１から３のいずれか一項に記載の浸水防止構造において、前記当接部側フィン部の厚さを、前記当接部に近づくにつれて厚くした。
【００１０】
請求項５に記載の浸水防止構造は、請求項１から４のいずれか一項に記載の浸水防止構造において、前記当接部を中空状に形成し、前記ベース部の一部である中実状の台座部を、前記当接部の内部に収容し、前記当接部側フィン部と前記台座部の先端部とが見付方向に略沿った同一直線上に位置するように、前記当接部側フィン部及び前記台座部を構成した。
【発明の効果】
【００１１】
請求項１に記載の浸水防止構造によれば、止水手段が、当接部の部分のうちベース部側の部分に設けられた当接部側フィン部であって、全閉状態において枠体と当接可能な当接部側フィン部と、を備えたので、当接部の先端側の部分に当接部側フィン部を設けた場合に比べて、全閉状態において開閉体に水圧がかかることに伴って止水手段が開閉体に押圧されても、当接部側フィン部が当該押圧に伴う当接部の反り変形の影響を受けにくくなる。よって、当接部側フィン部と枠体との当接状態を維持しやすくなることから、浸水防止性能を維持できる。
【００１２】
請求項２に記載の浸水防止構造によれば、当接部側フィン部を、全閉状態において枠体の見込面と当接可能となるように当接部における枠体に近接する部分から見付方向に略沿って外側に張り出したので、当接部側フィン部の張り出し長さを比較的短くでき、当接部側フィン部のコンパクト化を図ることができると共に、当接部側フィン部の曲げ変形時に作用する負荷を低減できる。
【００１３】
請求項３に記載の浸水防止構造によれば、当接部側フィン部を、ベース部側フィン部よりも外側に張り出したので、例えば、止水手段と枠体との相互間の隙間が止水手段の先端側に向かうにつれて大きくなる場合に、全閉状態において当接部側フィン部を枠体と当接させやすくなることから、当接部側フィン部と枠体との当接状態を維持しやすくなる。
【００１４】
請求項４に記載の浸水防止構造によれば、当接部側フィン部の厚さを当接部に近づくにつれて厚くしたので、当接部側フィン部のうち負荷がかかりやすい基端部分の厚みを他の部分よりも厚くでき、当接部側フィン部の耐久性を向上できる。
【００１５】
請求項５に記載の浸水防止構造によれば、ベース部の一部である中実状の台座部を、当接部の内部に収容し、当接部側フィン部と台座部の先端部とが見付方向に略沿った同一直線上に位置するように、当接部側フィン部及び台座部を構成したので、全閉状態において開閉体に水圧がかかることに伴って止水手段が開閉体に押圧されて変形しても当接部側フィン部の位置を維持しやすくなることから、当接部側フィン部と枠体との当接状態を維持しやすくなる。
【図面の簡単な説明】
【００１６】
【図１】本発明の実施の形態に係る建具を示す正面図であって、全閉状態を示す図である。
【図２】図１の建具のＡ−Ａ矢視断面図であり、（ａ）は開閉体に水圧がかかる前の状態を示す図、（ｂ）は開閉体に水圧がかかっている状態を示す図である。
【図３】図１の建具のＢ−Ｂ矢視断面図であり、（ａ）は開閉体に水圧がかかる前の状態を示す図、（ｂ）は開閉体に水圧がかかっている状態を示す図である。
【図４】図３（ｂ）のくつずり側止水部材の周辺領域の拡大図である。
【図５】戸尻側止水部材、戸先側止水部材、上側止水部材、及びくつずり側止水部材を組み合わせた状態を示す図であり、（ａ）は正面図、（ｂ）は（ａ）のＣ−Ｃ矢視断面図である。
【図６】戸尻側下方角部を示す図であり、（ａ）は正面図、（ｂ）は平面図、（ｃ）は（ｂ）のＤ−Ｄ矢視断面図、（ｄ）は（ａ）のＥ−Ｅ矢視断面図である。
【発明を実施するための形態】
【００１７】
以下に添付図面を参照して、この発明に係る浸水防止構造の実施の形態を詳細に説明する。まず、〔I〕実施の形態の基本的概念について説明した後、〔II〕実施の形態の具体的内容について説明し、最後に、〔III〕各実施の形態に対する変形例について説明する。ただし、実施の形態によって本発明が限定されるものではない。
【００１８】
〔I〕実施の形態の基本的概念
まず、実施の形態の基本的概念について説明する。実施の形態は、概略的に、建物の壁の開口部の周縁に設けられた枠体と、開口部を開閉する開閉体との相互間の隙間から水が浸入することを防止するための浸水防止構造に関するものである。
【００１９】
ここで、「建物」の具体的な構造や種類は任意であるが、例えば、戸建て住宅、アパートやマンションの如き集合住宅、オフィスビル、商業施設、及び公共施設等を含む概念である。また、「建物の壁の開口部」とは、建物の躯体の一部分（例えば、壁等）において窓や入り口を設置するために形成された開口部である。また、「枠体」及び「開閉体」を備える建具は、建物の開口部の出入り又は視界を抑制又は制限するための構造体を意味する。また、建具の取り付け位置や用途は任意であるが、例えば玄関に設置される「玄関扉」、勝手口や通用口に設置される「勝手口扉」、建物内部に設置される「屋内扉」等を含む。また、建具の開閉構造は任意であり、例えば、片開式の開き戸、両開式の開き戸（いわゆる親子型の扉）、片開式の引き戸として構成することができる。また「開閉体の状態」とは、例えば、開閉体によって開口部を全閉した「全閉状態」と、開閉体によって開口部を全開した「全開状態」と、開口部の一部を開いて開口部の他の一部を閉じている「半開状態」とを含む概念である。以下、実施の形態では、建具が、戸建て住宅の如き建物の外壁に設けられた片開式の開き戸である場合について説明する。
【００２０】
〔II〕実施の形態の具体的内容
次に、実施の形態の具体的内容について説明する。
【００２１】
（構成）
最初に、実施の形態に係る浸水防止構造が適用される建具の構成について説明する。以下の説明では、図１のＸ方向を建具の左右方向（−Ｘ方向を建具の左方向、＋Ｘ方向を建具の右方向）、図２のＹ方向を建具の前後方向（＋Ｙ方向を建具の前方向（建物の屋外側の方向）、−Ｙ方向を建具の後方向（建物の屋内側の方向））、図１のＺ方向を建具の上下方向（＋Ｚ方向を建具の上方向、−Ｚ方向を建具の下方向）と称する。
【００２２】
図１に示すように、建具１は、概略的に、枠体１０、開閉体２０、及びヒンジ部３０を備えている。ただし、建具１に関する特記しない構成については、従来と同様であるものとして説明を省略する。なお、後述する建具１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２３】
（構成−枠体）
枠体１０は、壁２に形成された開口部３の周縁に設置されるものであり、図１に示すように、鋼製（一例として、スチール、ステンレス等）の左右一対の縦枠材１１、１２及び上下一対の横枠材１３、１４を備えている。これら縦枠材１１、１２及び横枠材１３、１４は、それぞれ壁２に対して固定されており、相互に組み合わせられることによって、正面形状が略矩形環状となるように形成されている。以下では、必要に応じて、左右一対の縦枠材１１、１２のうち、開口部３の戸尻側に位置する縦枠材１１を「戸尻側縦枠材１１」と称し、開口部３の戸先側に位置する縦枠材１２を「戸先側縦枠材１２」と称する。また、上下一対の横枠材１３、１４のうち、開口部３の上方側に位置する横枠材１３を「上側横枠材１３」と称し、開口部３の下方側に位置する横枠材１４を「くつずり横枠材１４」と称する。
【００２４】
また、この戸先側縦枠材１２には、デッドボルト受け及びラッチ受けが設けられている（いずれも図示省略）。デッドボルト受けは、開閉体２０によって開口部３が閉鎖された状態（以下、「全閉状態」と称する）において、開閉体２０に設けられた後述するデッドボルトを受けるためのデッドボルト受容手段であり、後述するデッドボルトと対応する位置に配置されている。ラッチ受けは、開閉体２０に設けられた後述のラッチを受けるためのラッチ受容手段であり、後述のラッチと対応する位置に配置されている。なお、枠体１０の構成の詳細については後述する。
【００２５】
（構成−開閉体）
開閉体２０は、開口部３を開閉するための平板状体であり、図１に示すように、開閉体フレーム（図示省略）、屋外側表面材２１、及び屋内側表面材（図示省略）を備えている。
【００２６】
（構成−開閉体−開閉体フレーム）
開閉体フレームは、開閉体２０の剛性を主として担うものである。この開閉体フレームは、複数の鋼製の長尺な力骨を組み合わせることによって、正面形状が矩形環状となるように形成されており、具体的には、左右一対の縦力骨及び上下一対の横力骨から構成されている（いずれも図示省略）。このうち、左右一対の縦力骨は、長手方向の長さが相互に略同一となるように形成されており、上下方向に略沿うように配置されている。また、上下一対の横力骨は、長手方向の長さが相互に略同一となるように形成されており、左右方向に略沿うように配置されている。
【００２７】
（構成−開閉体−屋外側表面材、屋内側表面材）
屋外側表面材２１及び屋内側表面材は、開閉体フレームを覆うためのものである。これら屋外側表面材２１及び屋内側表面材は、例えば公知の表面材（一例として、鋼製の化粧板）等を用いて構成され、開閉体フレームを覆うように設けられており、具体的には、開閉体フレームを建物の屋外側及び屋内側から挟むように配置され、開閉体フレームに対して接着剤等によって固定されている。
【００２８】
（構成−開閉体−その他の構成）
また、図１に示すように、開閉体２０の戸先側には、ユーザが開閉体２０の開閉操作を行うための把手部２２と、開閉体２０を施錠するための施錠装置２３であって、図示しないデッドボルトを備える施錠装置２３と、施錠装置２３による施錠の有無に関わらず、全閉状態の位置に開閉体２０を維持するためのラッチ（図示省略）とが設けられている。
【００２９】
（構成−ヒンジ部）
ヒンジ部３０は、開閉体２０を戸尻側縦枠材１１に対して回動自在に軸支するためのものである。このヒンジ部３０は、例えば公知の丁番（一例として、二軸丁番）等を用いて構成されており、図１に示すように、開閉体２０の戸尻側の端部（図１では、右端部）において、相互に間隔を隔てて上下方向に沿って複数並設されており、開閉体２０及び戸尻側縦枠材１１に対して固定具等によって取り付けられている。
【００３０】
（構成−戸尻側縦枠材の構成の詳細）
次に、枠体１０の戸尻側縦枠材１１の構成の詳細について説明する。ただし、戸尻側縦枠材１１は、特記する場合を除いて、任意の形状、方法、及び材質（例えば、スチール、ステンレス等）で製造することができる。実施の形態において、図２に示すように、戸尻側縦枠材１１は、縦枠材本体１１ａ、固定材１１ｂ、及び戸尻側止水部材１１ｃを備えている。
【００３１】
縦枠材本体１１ａは、戸尻側縦枠材１１の基本構造体である。この縦枠材本体１１ａは、Ｘ−Ｙ平面に沿った断面形状が左右方向の外側に向けて開放された略コ字状となるように形成された中空状体であり、開口部３の上下方向の略全長にわたって形成されている。また、図２に示すように、縦枠材本体１１ａには、凹部１１ｄ及び止水凹部１１ｅが設けられている。このうち、凹部１１ｄは、開閉体２０を収容しながら縦枠材本体１１ａと開閉体２０との干渉を回避するためのものであり（いわゆる相じゃくり構造である凹部）、縦枠材本体１１ａにおける開閉体２０に対応する部分を左右方向の外側に向けて窪ませることにより形成されている。また、止水凹部１１ｅは、戸尻側止水部材１１ｃの一部を収容するためのものであり、凹部１１ｄのうち屋内側の部分（図２では、後側部分）を屋内側に向けて窪ませることにより形成されている。
【００３２】
固定材１１ｂは、縦枠材本体１１ａを壁２に対して固定すると共に、縦枠材本体１１ａを補強するためのものである。この固定材１１ｂは、板状体にて形成されており、具体的には、図２に示すように、固定材１１ｂの前後方向の長さが縦枠材本体１１ａのコ字状の開放端部における前後方向の長さと略同一（又はそれ以上の長さ）であり、固定材１１ｂの上下方向の長さが縦枠材本体１１ａの上下方向の長さよりも短くなるように形成されている。また、この固定材１１ｂは、縦枠材本体１１ａのコ字状の開放端部側（図２では、縦枠材本体１１ａの左右方向の外側の端部側）において、所定間隔を隔てて上下方向に沿って複数並設配置されており、縦枠材本体１１ａに対して溶接等によって固定されている。
【００３３】
戸尻側止水部材１１ｃは、全閉状態において開閉体２０と当接可能な止水部材である。この戸尻側止水部材１１ｃは、例えば公知の止水機能を有する樹脂材料（一例として、ゴムの如き弾性を有する樹脂材料）を用いて構成されており（なお、他の止水部材についても同様とする）、図２に示すように、止水凹部１１ｅにおいて縦枠材本体１１ａの上下方向の略全長にわたって埋設されている。なお、戸尻側止水部材１１ｃの構成の詳細については、後述する。
【００３４】
（構成−戸先側縦枠材の構成の詳細）
次に、枠体１０の戸先側縦枠材１２の構成の詳細について説明する。ただし、戸尻側縦枠材１１及び戸先側縦枠材１２は、特記する場合を除いて、任意の形状、方法、及び材質（例えば、スチール、ステンレス等）で製造することができる。実施の形態において、戸先側縦枠材１２は、戸尻側縦枠材１１と略同様に構成されており、図２に示すように、縦枠材本体１２ａ、固定材１２ｂ、戸先側止水部材１２ｃ、凹部１２ｄ、及び止水凹部１２ｅを備えている。なお、戸先側止水部材１２ｃの構成の詳細については、後述する。
【００３５】
（構成−上側横枠材の構成の詳細）
次に、枠体１０の上側横枠材１３の構成の詳細について説明する。ただし、上側横枠材１３は、特記する場合を除いて、任意の形状、方法、及び材質（例えば、スチール、ステンレス等）で製造することができる。実施の形態において、図３に示すように、上側横枠材１３は、横枠材本体１３ａ、固定材１３ｂ、及び上側止水部材１３ｃを備えている。
【００３６】
横枠材本体１３ａは、上側横枠材１３の基本構造体である。この横枠材本体１３ａは、Ｙ−Ｚ平面に沿った断面形状が上下方向の外側（図３では、上側）に向けて開放された略方形状となるように形成された中空状体であり、開口部３の左右方向の略全長にわたって形成されている。また、図３に示すように、横枠材本体１３ａには、凹部１３ｄ及び止水凹部１３ｅが設けられている。凹部１３ｄは、開閉体２０を収容しながら上側横枠材１３と開閉体２０との干渉を回避するためのものであり（いわゆる相じゃくり構造である凹部）、横枠材本体１３ａにおける開閉体２０に対応する部分を上下方向の外側（図３では、上側）に向けて窪ませることにより形成されている。また、止水凹部１３ｅは、上側止水部材１３ｃの一部を収容するためのものであり、凹部１３ｄのうち建物の屋内側の部分（図３では、後側部分）を建物の屋内側に向けて窪ませることにより形成されている。
【００３７】
固定材１３ｂは、横枠材本体１３ａを壁２に対して固定すると共に、横枠材本体１３ａを補強するためのものである。この固定材１３ｂは、Ｙ−Ｚ平面に沿った断面形状がＬ字状である板状体（又は、平坦状の如きＬ字状以外の板状体）にて形成されており、具体的には、図３に示すように、固定材１３ｂの前後方向の長さが横枠材本体１３ａの開放端部における前後方向の長さと略同一（又はそれ以上の長さ）であり、固定材１３ｂの左右方向の長さが横枠材本体１３ａの左右方向の長さよりも短くなるように形成されている。また、この固定材１３ｂは、横枠材本体１３ａの開放端部側（図３では、横枠材本体１３ａの上下方向の外側の端部側）において、所定間隔を隔てて左右方向に沿って複数並設配置されており、横枠材本体１３ａに対して溶接等によって固定されている。
【００３８】
上側止水部材１３ｃは、全閉状態において開閉体２０と当接可能な止水部材であり、図３に示すように、止水凹部１３ｅにおいて横枠材本体１３ａの左右方向の略全長にわたって埋設されている。なお、上側止水部材１３ｃの構成の詳細については、後述する。
【００３９】
（構成−枠体の構成の詳細−くつずり横枠材）
次に、枠体１０のくつずり横枠材１４の構成の詳細について説明する。ただし、くつずり横枠材１４は、特記する場合を除いて、任意の形状、方法、及び材質（例えば、スチール、ステンレス等）で製造することができる。実施の形態において、くつずり横枠材１４は、上側横枠材１３と略同様に構成されており、図３に示すように、横枠材本体１４ａ、固定材１４ｂ、くつずり側止水部材１４ｃ、凹部１４ｄ、及び止水凹部１４ｅを備えている。ただし、横枠材本体１４ａの凹部１４ｄに対応する側面１４ｆは、当該側面の前端部が当該側面の後端部よりも下方に位置するように傾斜に形成されている（以下では、この側面１４ｆを「くつずり側傾斜面１４ｆ」と称する）。なお、くつずり側止水部材１４ｃの構成の詳細については、後述する。
【００４０】
（構成−浸水防止構造）
図２に戻り、次に、建具１の浸水防止構造について説明する。この建具１は、枠体１０と開閉体２０との相互間の隙間から水が浸入することを防止するための浸水防止構造を備えている。また、この浸水防止構造は、第１浸水防止構造及び第２浸水防止構造を備えている。以下では、これら各浸水防止構造について順次説明する。
【００４１】
（構成−浸水防止構造−第１浸水防止構造）
最初に、第１浸水防止構造について説明する。実施の形態では、第１浸水防止構造は、図２から図６に示すように、上述した戸尻側止水部材１１ｃ、戸先側止水部材１２ｃ、上側止水部材１３ｃ、及びくつずり側止水部材１４ｃを備えている。ここで、戸尻側止水部材１１ｃ、戸先側止水部材１２ｃ、上側止水部材１３ｃ、及びくつずり側止水部材１４ｃの各々の構成はそれぞれ略同一であるので、以下では、くつずり側止水部材１４ｃの構成のみについて説明することとする。なお、上述した「戸尻側止水部材１１ｃ」、「戸先側止水部材１２ｃ」、「上側止水部材１３ｃ」、及び「くつずり側止水部材１４ｃ」を含むものは、特許請求の範囲における「止水手段」に対応する。
【００４２】
図４、図５に示すように、このくつずり側止水部材１４ｃは、ベース部４１、当接部４２、剥離部４３、ベース部側フィン部４４、及び当接部側フィン部４５を備えている。
【００４３】
（構成−浸水防止構造−第１浸水防止構造−ベース部）
図４に戻り、ベース部４１は、当接部４２を支持するものであり、図４、図５に示すように、枠体１０側（図４では、くつずり横枠材１４側）に設けられており、ベース部本体４１ａ及び台座部４１ｂを備えている。このうち、ベース部本体４１ａは、ベース部４１の基本構造体である。このベース部本体４１ａは、Ｙ−Ｚ平面に沿った断面形状が矩形環状である長尺な中空状体（又は中実状体）にて形成されており、図４に示すように、くつずり横枠材１４の止水凹部１４ｅ内に収容可能な位置に設けられている。なお、ベース部本体４１ａ内の空間部分４１ｃの大きさについては任意であるが、ベース部本体４１ａが基準値程度の押圧を受けた際に、ベース部本体４１ａの押圧変形量が所望量となるように設定されている。また、台座部４１ｂは、全閉状態において開閉体２０によって当接部４２が押圧された際に、当接部４２を受けるためのものである。この台座部４１ｂは、Ｙ−Ｚ平面に沿った断面形状が矩形状である長尺な中実状体にて形成されており、図４に示すように、ベース部本体４１ａよりも開閉体２０側（図４では、前側）に設けられ、且つ当接部４２の内部に収容されており、ベース部本体４１ａに対して接続されている。
【００４４】
（構成−浸水防止構造−第１浸水防止構造−当接部）
図４に戻り、当接部４２は、全閉状態において開閉体２０と当接するものである。この当接部４２は、Ｙ−Ｚ平面に沿った断面形状がＣ字状である長尺な中空状体にて形成されており、開閉体２０と当接可能な位置に設けられている。具体的には、図４に示すように、当接部４２の少なくとも一部がくつずり横枠材１４の止水凹部１４ｅよりも建物の屋外側に突出し、且つ全閉状態において開閉体２０の見付面（図４では、開閉体２０における建物の屋内側の側面）と当接可能な位置に配置され、ベース部本体４１ａに対して接続されている。
【００４５】
また、当接部４２の形成方法については任意であるが、実施の形態では、当接部４２とベース部４１とを一体形成している。ただし、これに限らず、当接部４２とベース部４１とを別体に形成してもよい。
【００４６】
（構成−浸水防止構造−第１浸水防止構造−剥離部）
剥離部４３は、くつずり側止水部材１４ｃの見込方向（図４では、前後方向）の長さを調整するためのものである。この剥離部４３は、長尺な略板状体にて形成されており、具体的には、ベース部４１の左右方向の略全長にわたって形成されている。また、図４に示すように、剥離部４３は、ベース部４１とくつずり横枠材１４の止水凹部１４ｅの底部分との相互間に設けられており、ベース部４１に対して接着剤等によって接続されている。
【００４７】
（構成−浸水防止構造−第１浸水防止構造−ベース部側フィン部）
ベース部側フィン部４４は、くつずり側止水部材１４ｃをくつずり横枠材１４の止水凹部１４ｅに収容する際にガイドするためのものであり、且つくつずり横枠材１４とベース部４１との相互間の隙間から水が浸入することを防止するためのものである。このベース部側フィン部４４は、長尺な板状体にて形成されており、具体的には、ベース部４１の左右方向の略全長にわたって形成されている。また、図４に示すように、ベース部側フィン部４４は、ベース部本体４１ａの上端部及び下端部の各々に複数設けられており、具体的には、全閉状態において枠体１０の見込面（具体的には、止水凹部１４ｅの側壁部分）と当接可能となるように見付方向の外側に張り出すように配置され（図４では、前方に向けて傾斜して張り出されており）、ベース部本体４１ａに対して接続されている（なお、ベース部側フィン部４４は、止水凹部１４ｅの側壁部と常時当接されるように配置されてもよい）。
【００４８】
また、ベース部側フィン部４４の形成方法については任意であるが、実施の形態では、ベース部側フィン部４４とベース部４１とを一体形成している。ただし、これに限らず、ベース部側フィン部４４とベース部４１とを別体に形成してもよい。
【００４９】
（構成−浸水防止構造−第１浸水防止構造−当接部側フィン部）
当接部側フィン部４５は、くつずり横枠材１４と当接部４２との相互間の隙間から水が浸入することを防止するためのものである。この当接部側フィン部４５は、長尺な平坦状又は非平坦状の板状体にて形成されており、具体的には、当接部４２の左右方向の略全長にわたって形成されている。また、図４、図５に示すように、当接部側フィン部４５は、当接部４２におけるくつずり横枠材１４側の端部（図４では、当接部４２の下端部）に設けられており、当接部４２に対して接続されている。
【００５０】
また、この当接部側フィン部４５の設置方法については、実施の形態では、当接部４２の部分のうちベース部側の部分４２ａ（以下、「ベース部側部分４２ａ」と称する）において、全閉状態でくつずり横枠材１４側と当接可能となるように設けている。ここで、「ベース部側部分４２ａ」とは、実施の形態では、当接部４２の部分のうち先端から基端までの範囲の中央部から基端に至る部分を意味する。具体的には、図４に示すように、まず、全閉状態において枠体１０の見込面（具体的には、くつずり側傾斜面１４ｆ）と当接可能となるように当接部４２における枠体１０との近接する部分（図５（ｂ）では、当接部４２の上下方向の頂点部）から見付方向の外側（図４では、下方）に張り出すように設けている。これにより、当接部側フィン部４５の張り出し長さを比較的短くでき、当接部側フィン部４５のコンパクト化を図ることができると共に、当接部側フィン部４５の曲げ変形時に作用する負荷を低減できる。また、当接部側フィン部４５がベース部側フィン部４４よりも外側に張り出すように設けている。これにより、例えば、図４に示すように、くつずり側止水部材１４ｃとくつずり側傾斜面１４ｆとの相互間の隙間がくつずり側止水部材１４ｃの先端側に向かうにつれて大きくなる場合に、全閉状態において当接部側フィン部４５をくつずり側傾斜面１４ｆと当接させやすくなることから、当接部側フィン部４５とくつずり側傾斜面１４ｆとの当接状態を維持しやすくなる。
【００５１】
また、当接部側フィン部４５の具体的な構成については任意であるが、実施の形態では以下の通りに構成している。
【００５２】
すなわち、まず、当接部側フィン部４５の厚さについては、図５（ｂ）に示すように、当接部４２に近づくにつれて厚く設定している。例えば、当接部側フィン部４５の基端部分の厚さを、当接部側フィン部４５の先端部分の厚さの２倍程度に設定してもよい。これにより、当接部側フィン部４５のうち負荷がかかりやすい基端部分の厚みを他の部分よりも厚くでき、当接部側フィン部４５の耐久性を向上できる。
【００５３】
また、図５（ｂ）に示すように、当接部側フィン部４５と台座部４１ｂの先端部とが見付方向（図５では、上下方向）に略沿った同一直線上に位置するように、当接部側フィン部４５及び台座部４１ｂは構成されている。具体的には、当接部側フィン部４５は、上述したように、当接部４２における枠体１０に近接する部分から見付方向の外側に張り出すように設けられている。また、台座部４１ｂの前後方向の長さについては、当接部４２の前後方向の長さの半分程度に設定している。これにより、全閉状態において開閉体２０に水圧がかかることに伴ってくつずり側止水部材１４ｃが開閉体２０に押圧されて変形しても当接部側フィン部４５の位置を維持しやすくなることから、当接部側フィン部４５とくつずり横枠材１４との当接状態を維持しやすくなる。また、上述したように、当接部側フィン部４５を当接部４２の上下方向の頂点部に設けているので、全閉状態において台座部４１ｂの先端付近で上下方向の外側に向けて広がるように押圧変形でき、当接部側フィン部４５とくつずり横枠材１４との当接状態を一層維持しやすくなる。
【００５４】
また、当接部側フィン部４５の形成方法については任意であるが、実施の形態では、当接部側フィン部４５と当接部４２とを一体形成している。ただし、これに限らず、当接部側フィン部４５と当接部４２とを別体に形成してもよい。
【００５５】
（構成−浸水防止構造−第１浸水防止構造−その他の構成）
図４に戻り、また、くつずり側止水部材１４ｃの具体的な構成については任意であるが、実施の形態では、複数のベース部側フィン部４４がくつずり横枠材１４の止水凹部１４ｅから露出しないように構成されている。具体的には、図４に示すように、ベース部本体４１ａにおける当接部４２との境界部から剥離部４３の後端部に至るまでの長さがくつずり横枠材１４の止水凹部１４ｅの深さと略同一に設定している（又は若干短く設定してもよい）。また、ベース部本体４１ａの前後方向の長さについては、台座部４１ｂの前後方向の長さよりも長く設定している。また、複数のベース部側フィン部４４のうち最も開閉体２０側に位置するベース部側フィン部４４の先端部が、ベース部本体４１ａの先端部よりも枠体１０側（具体的には、くつずり横枠材１４の止水凹部１４ｅの底部分側）に位置するように、複数のベース部側フィン部４４が設けられている。さらに、剥離部４３の設置数については、１枚に設定している。このような構成により、例えば、くつずり側止水部材１４ｃとくつずり横枠材１４の止水凹部１４ｅの底部分との間に図示しないゴム製のライナ材を設けた場合でも複数のベース部側フィン部４４がくつずり横枠材１４の止水凹部１４ｅから露出することを回避できることから、浸水防止性能を維持しやすくなる。なお、上記ゴム製のライナ材は、開閉体２０と各種止水部材との隙間を調整するものであり、剥離部４３と止水凹部１４ｅの底部分との間に所定数設けられることにより当該隙間を調整できる。
【００５６】
また、戸尻側止水部材１１ｃ、戸先側止水部材１２ｃ、上側止水部材１３ｃ、及びくつずり側止水部材１４ｃを枠体１０に対して取り付ける方法については任意であるが、実施の形態では、戸尻側止水部材１１ｃ、戸先側止水部材１２ｃ、上側止水部材１３ｃ、及びくつずり側止水部材１４ｃの各々をそれぞれ複数に分割してあらかじめ形成し、当該分割して形成したものを枠体１０の各種止水凹部に収容しながら、戸尻側止水部材１１ｃ及び戸先側止水部材１２ｃの各々とくつずり側止水部材１４ｃとを接着剤等によって接続することにより、取り付けている（なお、戸尻側止水部材１１ｃ及び戸先側止水部材１２ｃの各々と上側止水部材１３ｃとを接続しなくてもよく、又は接続してもよい）。より具体的には、後述する戸尻側下方角部１５ｂを構成する戸尻側止水部材１１ｃの一部と戸尻側止水部材１１ｃの他の一部とを相互に接続し、後述する戸尻側下方角部１５ｂを構成するくつずり側止水部材１４ｃの一部とくつずり側止水部材１４ｃの他の一部とを相互に接続してもよい。また、後述する戸先側下方角部１５ｄを構成する戸先側止水部材１２ｃの一部と戸先側止水部材１２ｃの他の一部とを相互に接続し、後述する戸先側下方角部１５ｄを構成するくつずり側止水部材１４ｃの一部とくつずり側止水部材１４ｃの他の一部とを相互に接続してもよい。ただし、これに限らず、例えば、戸尻側止水部材１１ｃ、戸先側止水部材１２ｃ、上側止水部材１３ｃ、及びくつずり側止水部材１４ｃを一体形成し、当該一体形成したものを枠体１０の各種止水凹部に収容してもよい。なお、実施の形態では、図５に示すように、これら戸尻側止水部材１１ｃ、戸先側止水部材１２ｃ、上側止水部材１３ｃ、及びくつずり側止水部材１４ｃを組み合わせたものは、開口部３の角に対応する角部１５であって、隣接する止水部材同士（例えば、戸尻側止水部材１１ｃとくつずり側止水部材１４ｃ等）を突き合わせることにより構成された角部１５を有するものとする。以下では、必要に応じて、上述した角部１５のうち、開口部３の戸尻側上方に位置する角に対応する角部１５ａを「戸尻側上方角部１５ａ」と称し、開口部３の戸尻側下方に位置する角に対応する角部１５ｂを「戸尻側下方角部１５ｂ」と称し、開口部３の戸先側上方に位置する角に対応する角部１５ｃを「戸先側上方角部１５ｃ」と称し、開口部３の戸先側下方に位置する角に対応する角部１５ｄを「戸先側下方角部１５ｄ」と称する。
【００５７】
以上のような第１浸水防止構造の構成により、当接部４２の先端側の部分に当接部側フィン部４５を設けた場合に比べて、全閉状態において開閉体２０に水圧がかかることに伴ってくつずり側止水部材１４ｃが開閉体２０に押圧されても、当接部側フィン部４５が当該押圧に伴う当接部４２の反り変形の影響を受けにくくなる。よって、当接部側フィン部４５と枠体１０との当接状態を維持しやすくなることから、浸水防止性能を維持できる。
【００５８】
（構成−浸水防止構造−第２浸水防止構造）
次に、第２浸水防止構造について説明する。実施の形態では、第２浸水防止構造は、図５に示すように、戸尻側塞ぎ部５０ａ及び戸先側塞ぎ部５０ｂを備えている。戸尻側塞ぎ部５０ａは、全閉状態において戸尻側止水部材１１ｃとくつずり側止水部材１４ｃとの突き合わせ部分１６ａ（以下、「戸尻側突き合わせ部分１６ａ」と称する）と開閉体２０との相互間に形成される隙間（以下、「戸尻側隙間」と称する）を塞ぐための塞ぎ手段であり、図５に示すように、戸尻側下方角部１５ｂに設けられている。ここで、「戸尻側隙間」とは、例えば、戸尻側下方角部１５ｂの正面形状と開閉体２０における戸尻側下方の角部分との正面形状との違いによって形成される隙間等が該当する。また、戸先側塞ぎ部５０ｂは、全閉状態において戸先側止水部材１２ｃとくつずり側止水部材１４ｃとの突き合わせ部分１６ｂ（以下、「戸先側突き合わせ部分１６ｂ」と称する）と開閉体２０との相互間に形成される隙間（以下、「戸先側隙間」と称する）を塞ぐための塞ぎ手段であり、図５に示すように、戸先側下方角部１５ｄに設けられている。ここで、「戸先側隙間」とは、例えば、戸先側下方角部１５ｄの正面形状と開閉体２０における戸先側下方の角部分との正面形状との違いによって形成される隙間等が該当する。なお、実施の形態では、戸尻側塞ぎ部５０ａ及び戸先側塞ぎ部５０ｂの各々の構成はそれぞれ略同一であるので、以下では、戸尻側塞ぎ部５０ａの構成のみについて説明することとする。
【００５９】
この戸尻側塞ぎ部５０ａの特徴については、実施の形態では以下に示す通りとなる。ここで、戸尻側突き合わせ部分１６ａの突き合わせ方法については、実施の形態では、戸尻側止水部材１１ｃの下端部の近傍部分とくつずり側止水部材１４ｃの戸尻側の端部及びその近傍部分とを一体形成することにより戸尻側下方角部１５ｂを構成すると共に、戸尻側止水部材１１ｃの突き合わせ面及びくつずり側止水部材１４ｃの突き合わせ面の各々の角度が４５度になるようにこれら突き合わせ面を形成し、且つこれら突き合わせ面同士を当接することにより、突き合わせたものとして説明する。
【００６０】
（構成−浸水防止構造−第２浸水防止構造−第１の特徴）
まず、戸尻側塞ぎ部５０ａの第１の特徴については、戸尻側塞ぎ部５０ａは、湾曲状の膜状体（又は板状体）に形成されている。具体的には、図６に示すように、戸尻側突き合わせ部分１６ａ及びその近傍を含む領域にわたって形成されている。
【００６１】
この場合において、戸尻側下方角部１５ｂの具体的な構成については任意であるが、実施の形態では、ベース部４１の台座部４１ｂのうち戸尻側突き合わせ部分１６ａに対応する部分が、連続状に形成されている。これにより、台座部４１ｂのうち戸尻側突き合わせ部分１６ａに対応する部分と開閉体２０の角部分とで当接部４２を効果的に挟み込むことができ、全閉状態において戸尻側隙間を塞ぎやすくなる。
【００６２】
このような第１の特徴により、戸尻側塞ぎ部５０ａの構成を簡易化でき、戸尻側塞ぎ部５０ａの製造性を高めることができる。
【００６３】
（構成−浸水防止構造−第２浸水防止構造−第２の特徴）
次に、戸尻側塞ぎ部５０ａの第２の特徴については、図６に示すように、戸尻側塞ぎ部５０ａは、戸尻側突き合わせ部分１６ａのうち開閉体２０との当接側の部分（図６では、戸尻側突き合わせ部分１６ａの前側部分）に配置されている。具体的には、戸尻側突き合わせ部分１６ａよりも開口部３の内側（図６（ｄ）では、左側上方）に向けて突出するように配置している。
【００６４】
この場合において、戸尻側塞ぎ部５０ａの具体的な構成については任意であるが、実施の形態では以下の通りとなる。すなわち、戸尻側塞ぎ部５０ａの厚みについては、図６（ｄ）に示すように、戸尻側突き合わせ部分１６ａの端部のうち開閉体２０との当接側の端部（図６（ｄ）では、戸尻側突き合わせ部分１６ａの前端部）に近づくにつれて薄くなるように設定している。例えば、戸尻側塞ぎ部５０ａのうち、当接部４２の前後方向の中央部に対応する部分の厚さについては、当接部４２の厚さの半分程度に設定し、当該中央部よりも前側部分の厚さについては、当接部４２の厚さの半分未満となるように設定している。これにより、戸尻側塞ぎ部５０ａによって開閉体２０の状態が全閉状態になることが阻害されることを抑制でき、開閉体２０の使用性を維持しやすくなる。また、戸尻側塞ぎ部５０ａの硬さについては、戸尻側下方角部１５ｂの硬さと略同一に設定している。ただし、これに限らず、例えば、戸尻側下方角部１５ｂの硬さよりも柔らかく設定してもよく、例えば、戸尻側下方角部１５ｂの硬さの半分程度に設定してもよい。これにより、戸尻側塞ぎ部５０ａの硬さが戸尻側下方角部１５ｂの硬さと同一である場合に比べて、戸尻側下方角部１５ｂが開閉体２０によって押圧されて変形した際に、当該変形に伴って戸尻側塞ぎ部５０ａがねじれることを抑制でき、戸尻側塞ぎ部５０ａの損傷等が生じにくくなる。
【００６５】
このような第２の特徴により、戸尻側塞ぎ部５０ａを戸尻側突き合わせ部分１６ａのうち開閉体２０との当接側とは反対側の部分に配置する場合に比べて、全閉状態において戸尻側隙間を効果的に塞ぐことができる。また、戸尻側塞ぎ部５０ａを戸尻側突き合わせ部分１６ａよりも開口部３の内側に向けて突出させない場合に比べて、全閉状態において戸尻側隙間を効果的に塞ぐことができる。以上のことから、浸水防止性能を高めやすくなる。
【００６６】
（構成−浸水防止構造−第２浸水防止構造−第３の特徴）
次に、戸尻側塞ぎ部５０ａの第３の特徴については、図６に示すように、戸尻側塞ぎ部５０ａと戸尻側下方角部１５ｂとは、一体に形成されている（すなわち、戸尻側塞ぎ部５０ａと止水手段とが一体形成されている）。この形成方法については任意であるが、例えば、止水機能を有する樹脂材料を射出成形することにより、形成してもよい。
【００６７】
このような第３の特徴により、戸尻側塞ぎ部５０ａと戸尻側下方角部１５ｂとを別体に形成した場合に比べて、戸尻側塞ぎ部５０ａを戸尻側下方角部１５ｂに取り付ける手間を省略でき、第２浸水防止構造の設置性を高めやすくなる。
【００６８】
以上のような第２浸水防止構造の構成により、戸尻側塞ぎ部５０ａ及び戸先側塞ぎ部５０ｂによって、全閉状態において戸尻側隙間及び戸先側隙間を塞ぐことができる。よって、全閉状態において戸尻側隙間及び戸先側隙間から水が浸入することを防止でき、浸水防止性能を高めることができる。
【００６９】
（建具の作用について）
図２に戻り、続いて、このように構成された建具１の作用について説明する。
【００７０】
すなわち、例えば、全閉状態において雨水等の水が建物の屋外側から開閉体２０を介して建物の屋内側に浸入しようとすると、図２（ｂ）、図３（ｂ）、図４に示すように、開閉体２０に水圧がかかることに伴って戸尻側止水部材１１ｃ、戸先側止水部材１２ｃ、上側止水部材１３ｃ、及びくつずり側止水部材１４ｃが開閉体２０に押圧されて変形することにより、枠体１０と開閉体２０との相互間の隙間が塞がれるので、上記水の浸入を防止できる。特に、戸尻側止水部材１１ｃ、戸先側止水部材１２ｃ、上側止水部材１３ｃ、及びくつずり側止水部材１４ｃの各々の当接部側フィン部４５を対応する当接部４２のベース部側部分４２ａに設けているので、これら止水部材が開閉体２０に押圧されても、当接部側フィン部４５が当該押圧に伴う当接部４２の反り変形の影響を受けにくいので、当接部側フィン部４５と枠体１０との当接状態を維持しやすくなることから、上記水が一層浸入しにくくなる。また、戸尻側塞ぎ部５０ａ及び戸先側塞ぎ部５０ｂを設けているので、戸尻側塞ぎ部５０ａ及び戸先側塞ぎ部５０ｂによって、全閉状態において戸尻側隙間及び戸先側隙間が塞がれることから、上記水がさらに一層浸入しにくくなる。
【００７１】
（実施の形態の効果）
このように実施の形態によれば、止水手段が、当接部４２のベース部側部分４２ａに設けられた当接部側フィン部４５であって、全閉状態において枠体１０と当接可能な当接部側フィン部４５と、を備えたので、当接部４２の先端側の部分に当接部側フィン部４５を設けた場合に比べて、全閉状態において開閉体２０に水圧がかかることに伴って止水手段が開閉体２０に押圧されても、当接部側フィン部４５が当該押圧に伴う当接部４２の反り変形の影響を受けにくくなる。よって、当接部側フィン部４５と枠体１０との当接状態を維持しやすくなることから、浸水防止性能を維持できる。
【００７２】
また、当接部側フィン部４５を、全閉状態において枠体１０の見込面と当接可能となるように当接部４２における枠体１０に近接する部分から見付方向に略沿って外側に張り出したので、当接部側フィン部４５の張り出し長さを比較的短くでき、当接部側フィン部４５のコンパクト化を図ることができると共に、当接部側フィン部４５の曲げ変形時に作用する負荷を低減できる。
【００７３】
また、当接部側フィン部４５を、ベース部側フィン部４４よりも外側に張り出したので、例えば、止水手段と枠体１０との相互間の隙間が止水手段の先端側に向かうにつれて大きくなる場合に、全閉状態において当接部側フィン部４５を枠体１０と当接させやすくなることから、当接部側フィン部４５とくつずり側傾斜面１４ｆとの当接状態を維持しやすくなる。
【００７４】
また、当接部側フィン部４５の厚さを当接部４２に近づくにつれて厚くしたので、当接部側フィン部４５のうち負荷がかかりやすい基端部分の厚みを他の部分よりも厚くでき、当接部側フィン部４５の耐久性を向上できる。
【００７５】
また、ベース部４１の一部である中実状の台座部４１ｂを、当接部４２の内部に収容し、当接部側フィン部４５と台座部４１ｂの先端部とが見付方向に略沿った同一直線上に位置するように、当接部側フィン部４５及び台座部４１ｂを構成したので、全閉状態において開閉体２０に水圧がかかることに伴って止水手段が開閉体２０に押圧されて変形しても当接部側フィン部４５の位置を維持しやすくなることから、当接部側フィン部４５と枠体１０との当接状態を維持しやすくなる。
【００７６】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００７７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７９】
（止水手段について）
上記実施の形態では、止水手段が、戸尻側止水部材１１ｃ、戸先側止水部材１２ｃ、上側止水部材１３ｃ、及びくつずり側止水部材１４ｃを備えていると説明したが、これに限らない。例えば、戸尻側止水部材１１ｃ、戸先側止水部材１２ｃ、上側止水部材１３ｃ、又はくつずり側止水部材１４ｃのいずれか１つを省略してもよい。
【００８０】
また、上記実施の形態では、戸尻側止水部材１１ｃ、戸先側止水部材１２ｃ、上側止水部材１３ｃ、及びくつずり側止水部材１４ｃの各々の当接部４２が、開閉体２０の見付面と当接可能な位置に配置されていると説明したが、これに限らず、例えば、開閉体２０の見込面と当接可能な位置に配置されてもよい。また、上記実施の形態では、上記当接部４２におけるＹ−Ｚ平面に沿った断面形状がＣ字状であると説明したが、これに限らず、例えば多角形状（例えば、略矩形状、略台形状等）、楕円形状であってもよい。また、上記実施の形態では、上記当接部４２が中空状体であると説明したが、これに限らず、例えば中実状体であってもよい。
【００８１】
また、上記実施の形態では、戸尻側止水部材１１ｃ、戸先側止水部材１２ｃ、上側止水部材１３ｃ、及びくつずり側止水部材１４ｃの各々のベース部側フィン部４４の設置数が、４つであると説明したが、３つ以下であってもよく、５つ以上であってもよい。
【００８２】
また、上記実施の形態では、戸尻側止水部材１１ｃ、戸先側止水部材１２ｃ、上側止水部材１３ｃ、及びくつずり側止水部材１４ｃの各々の当接部側フィン部４５の設置数が、１つであると説明したが、２つ以上であってもよい。
【００８３】
（浸水防止構造について）
また、上記実施の形態では、浸水防止構造が、第２浸水防止構造を備えていると説明したが、第２浸水防止構造を省略してもよい。
【００８４】
（第１浸水防止構造について）
上記実施の形態では、当接部側フィン部４５を、見付方向に略沿って外側に張り出していると説明したが、これに限らず、例えば、見付方向に沿わないように外側に張り出してもよい。また、上記実施の形態では、当接部側フィン部４５を、当接部４２における枠体１０に近接する部分から張り出していると説明したが、これに限らず、例えば、当接部４２における枠体１０に近接しない部分から張り出してもよい。
【００８５】
また、上記実施の形態では、当接部側フィン部４５を、ベース部側フィン部４４よりも外側に張り出すように設けていると説明したが、これに限らず、例えば、ベース部側フィン部４４よりも外側に張り出さないように設けてもよい。
【００８６】
また、上記実施の形態では、当接部側フィン部４５の厚さを、当接部４２に近づくにつれて厚く設定していると説明したが、これに限らず、例えば、均一に設定してもよい。
【００８７】
また、上記実施の形態では、当接部側フィン部４５と台座部４１ｂの先端部とが見付方向に略沿った同一直線上に位置するように、当接部側フィン部４５及び台座部４１ｂが構成されていると説明したが、これに限らない。例えば、当接部側フィン部４５と台座部４１ｂの先端部とが見付方向に略沿った同一直線上に位置しないように、当接部側フィン部４５及び台座部４１ｂが構成されてもよい。
【００８８】
（第２浸水防止構造について）
上記実施の形態では、塞ぎ手段が、戸尻側下方角部１５ｂ及び戸先側下方角部１５ｄに設けられていると説明したが、これに限らない。戸尻側下方角部１５ｂ又は戸先側下方角部１５ｄのいずれかに設けられてもよい。あるいは、戸尻側上方角部１５ａ又は戸先側上方角部１５ｃにさらに設けてもよい。
【００８９】
また、上記実施の形態では、戸尻側塞ぎ部５０ａを、戸尻側突き合わせ部分１６ａよりも開口部３の内側に向けて突出させていると説明したが、これに限らず、例えば、戸尻側突き合わせ部分１６ａよりも開口部３の内側に向けて突出させなくてもよい（なお、戸先側塞ぎ部５０ｂについても同様とする）。
【００９０】
また、上記実施の形態では、戸尻側塞ぎ部５０ａを、戸尻側突き合わせ部分１６ａのうち開閉体２０との当接側の部分に配置していると説明したが、これに限らず、例えば、戸尻側突き合わせ部分１６ａのうち当接側とは反対側の部分に配置してもよい（なお、戸先側塞ぎ部５０ｂについても同様とする）。
【００９１】
また、上記実施の形態では、戸尻側塞ぎ部５０ａの厚みを、戸尻側突き合わせ部分１６ａの端部のうち開閉体２０との当接側の端部に近づくにつれて薄くなるように設定していると説明したが、これに限らず、例えば、均一に設定してもよい（なお、戸先側塞ぎ部５０ｂについても同様とする）。
【００９２】
また、上記実施の形態では、戸尻側塞ぎ部５０ａと戸尻側下方角部１５ｂとが、一体に形成されていると説明したが、これに限らず、例えば、別体に形成されてもよい（なお、戸先側塞ぎ部５０ｂについても同様とする）。この場合には、戸尻側塞ぎ部５０ａは、戸尻側下方角部１５ｂに対して嵌合構造又は接着剤等によって接続されてもよい。
【００９３】
また、上記実施の形態では、ベース部４１の台座部４１ｂのうち戸尻側突き合わせ部分１６ａに対応する部分が、連続状に形成されていると説明したが、これに限らず、例えば、非連続状に形成されてもよい。
【００９４】
（付記）
付記１の浸水防止構造は、建物の壁の開口部の周縁に設けられた枠体と、前記開口部を開閉する開閉体との相互間の隙間から水が浸入することを防止するための浸水防止構造であって、前記枠体に設けられた止水手段であって、前記開閉体によって前記開口部を全閉した全閉状態において前記開閉体と当接可能な止水手段を備え、前記止水手段は、前記枠体側に設けられたベース部と、前記ベース部よりも前記開閉体側に設けられた当接部であって、前記開閉体と当接可能な位置に設けられた当接部と、前記当接部の部分のうち前記ベース部側の部分に設けられた当接部側フィン部であって、前記全閉状態において前記枠体と当接可能な当接部側フィン部と、を備えた。
【００９５】
付記２の浸水防止構造は、付記１に記載の浸水防止構造において、前記当接部を、前記全閉状態において前記開閉体の見付面と当接可能な位置に配置し、前記当接部側フィン部を、前記全閉状態において前記枠体の見込面と当接可能となるように前記当接部における前記枠体に近接する部分から見付方向に略沿って外側に張り出した。
【００９６】
付記３の浸水防止構造は、付記２に記載の浸水防止構造において、前記止水手段は、前記ベース部の部分に設けられたベース部側フィン部であって、前記全閉状態において前記枠体の見込面と当接可能となるように見付方向の外側に張り出されたベース部側フィン部を、さらに備え、前記当接部側フィン部を、前記ベース部側フィン部よりも外側に張り出した。
【００９７】
付記４の浸水防止構造は、付記１から３のいずれか一項に記載の浸水防止構造において、前記当接部側フィン部の厚さを、前記当接部に近づくにつれて厚くした。
【００９８】
付記５の浸水防止構造は、付記１から４のいずれか一項に記載の浸水防止構造において、前記当接部を中空状に形成し、前記ベース部の一部である中実状の台座部を、前記当接部の内部に収容し、前記当接部側フィン部と前記台座部の先端部とが見付方向に略沿った同一直線上に位置するように、前記当接部側フィン部及び前記台座部を構成した。
【００９９】
（付記の効果）
付記１に記載の浸水防止構造によれば、止水手段が、当接部の部分のうちベース部側の部分に設けられた当接部側フィン部であって、全閉状態において枠体と当接可能な当接部側フィン部と、を備えたので、当接部の先端側の部分に当接部側フィン部を設けた場合に比べて、全閉状態において開閉体に水圧がかかることに伴って止水手段が開閉体に押圧されても、当接部側フィン部が当該押圧に伴う当接部の反り変形の影響を受けにくくなる。よって、当接部側フィン部と枠体との当接状態を維持しやすくなることから、浸水防止性能を維持できる。
【０１００】
付記２に記載の浸水防止構造によれば、当接部側フィン部を、全閉状態において枠体の見込面と当接可能となるように当接部における枠体に近接する部分から見付方向に略沿って外側に張り出したので、当接部側フィン部の張り出し長さを比較的短くでき、当接部側フィン部のコンパクト化を図ることができると共に、当接部側フィン部の曲げ変形時に作用する負荷を低減できる。
【０１０１】
付記３に記載の浸水防止構造によれば、当接部側フィン部を、ベース部側フィン部よりも外側に張り出したので、例えば、止水手段と枠体との相互間の隙間が止水手段の先端側に向かうにつれて大きくなる場合に、全閉状態において当接部側フィン部を枠体と当接させやすくなることから、当接部側フィン部と枠体との当接状態を維持しやすくなる。
【０１０２】
付記４に記載の浸水防止構造によれば、当接部側フィン部の厚さを当接部に近づくにつれて厚くしたので、当接部側フィン部のうち負荷がかかりやすい基端部分の厚みを他の部分よりも厚くでき、当接部側フィン部の耐久性を向上できる。
【０１０３】
付記５に記載の浸水防止構造によれば、ベース部の一部である中実状の台座部を、当接部の内部に収容し、当接部側フィン部と台座部の先端部とが見付方向に略沿った同一直線上に位置するように、当接部側フィン部及び台座部を構成したので、全閉状態において開閉体に水圧がかかることに伴って止水手段が開閉体に押圧されて変形しても当接部側フィン部の位置を維持しやすくなることから、当接部側フィン部と枠体との当接状態を維持しやすくなる。
【符号の説明】
【０１０４】
１  建具
２  壁
３  開口部
１０  枠体
１１  戸尻側縦枠材
１１ａ  縦枠材本体
１１ｂ  固定材
１１ｃ  戸尻側止水部材
１１ｄ  凹部
１１ｅ  止水凹部
１２  戸先側縦枠材
１２ａ  縦枠材本体
１２ｂ  固定材
１２ｃ  戸先側止水部材
１２ｄ  凹部
１２ｅ  止水凹部
１３  上側横枠材
１３ａ  横枠材本体
１３ｂ  固定材
１３ｃ  上側止水部材
１３ｄ  凹部
１３ｅ  止水凹部
１４  くつずり横枠材
１４ａ  横枠材本体
１４ｂ  固定材
１４ｃ  くつずり側止水部材
１４ｄ  凹部
１４ｅ  止水凹部
１４ｆ  くつずり側傾斜面
１５  角部
１５ａ  戸尻側上方角部
１５ｂ  戸尻側下方角部
１５ｃ  戸先側上方角部
１５ｄ  戸先側下方角部
１６ａ  戸尻側突き合わせ部分
１６ｂ  戸先側突き合わせ部分
２０  開閉体
２１  屋外側表面材
２２  把手部
２３  施錠装置
３０  ヒンジ部
４１  ベース部
４１ａ  ベース部本体
４１ｂ  台座部
４１ｃ  空間部分
４２  当接部
４２ａ  ベース部側部分
４３  剥離部
４４  ベース部側フィン部
４５  当接部側フィン部
５０ａ  戸尻側塞ぎ部
５０ｂ  戸先側塞ぎ部
【図１】
2020084609.tif 000003
【図２】
2020084609.tif 000004
【図３】
2020084609.tif 000005
【図４】
2020084609.tif 000006
【図５】
2020084609.tif 000007
【図６】
2020084609.tif 000008